(57)【特許請求の範囲】
【請求項１】
カードを読み取り位置に配置すべきところの読み取り領域であって、カードを読み取り位置へと案内するためのチャンネルを有する読み取り領域と、支持面を有するロード領域とを備え、このロード領域は、カードの主面に力を加えてカードを支持面に沿ってチャンネルへとスライドできるように構成され、そして読み取り領域は、カードの主面に力を加えてカードを読み取り位置へと更にスライドできるように構成されたことを特徴とするデータカードハウジング。
【請求項２】
上記ロード領域の支持面は、チャンネルへと下方に傾斜している請求項１に記載のハウジング。
【請求項３】
カードを読み取り位置に保持する手段を備えた請求項１又は２に記載のハウジング。
【請求項４】
上記保持手段は、ロード領域の支持面の突起を含む請求項３に記載のハウジング。
【請求項５】
上記保持手段は、チャンネルを含む請求項３又は４に記載のハウジング。
【請求項６】
請求項１ないし５のいずれかに記載のデータカードハウジングを備えた無線電話用のハウジング。
【請求項７】
データカードコネクタを更に備えた請求項１ないし６のいずれかに記載のハウジング。
【請求項８】
上記データカードコネクタは、データカード接点に接触してデータカード接点を回路に接続するためのコネクタ接点を備え、これらコネクタ接点は、データカードが第１の向きでコネクタに配置されたときには各データカード接点に接触するように配置され、そしてデータカードが第１の向きから１８０°回転した第２の向きでコネクタに配置されたときには、１つのデータカード接点のみがそれらのいずれかにより接触される請求項７に記載のハウジング。
【請求項９】
上記コネクタ接点は、データカードが第２の向きにある状態で、１つのコネクタ接点のみが上記データカード接点に接触するように配置される請求項８に記載のハウジング。
【請求項１０】
データカードが第１の向きにある状態では、上記コネクタ接点はデータカード接点に接触する請求項９に記載のハウジング。
【請求項１１】
データカードが第１の向きにある状態では、上記コネクタ接点は、上記データカード接点に接触する請求項１０に記載のハウジング。
【請求項１２】
上記コネクタ接点は、中央に配置される請求項９ないし１１のいずれかに記載のハウジング。
【請求項１３】
上記コネクタ接点は、データカードがコネクタに配置されたときにデータカードの主軸の１つのみに対して中央に配置される請求項９に記載の、又は請求項９に従属するときは請求項１２に記載のハウジング。
【請求項１４】
上記データカードコネクタは、データカードが第２の向きにある状態で、端子接点が更に別のデータカード接点に接触するように配置された端子を含む請求項８ないし１３のいずれかに記載のハウジング。
【請求項１５】
上記端子接点は、データカードが読み取り位置に配置されたときにデータカードの主軸の１つのみに対して中央に配置される請求項１４に記載のハウジング。
【請求項１６】
上記コネクタの接点は、対称的である請求項８ないし１５のいずれかに記載のハウジング。
【請求項１７】
請求項１ないし１６のいずれかに記載のハウジング及びデータカード。
【請求項１８】
請求項１ないし１６のいずれかに記載のハウジングを備えた無線電話。
【請求項１９】
データカードを更に備えた請求項１８に記載の無線電話。
【請求項２０】
取り外し可能なバッテリを備え、バッテリの取り付け時にバッテリにより上記データカードハウジングがカバーされる請求項１８又は１９に記載の無線電話。
【発明の詳細な説明】
【０００１】
【発明の属する技術分野】
本発明は、メモリモジュールのためのハウジングに係る。より詳細には、本発明は、例えば、無線電話ハウジングの一部分を形成するデータカードのためのハウジングに係る。
【０００２】
【従来の技術】
例えば、セルラー無線電話においては、電話に取り外し可能に挿入されるデータカードのようなメモリモジュールが知られている。データカードは、受動的なメモリカード（即ち本質的にＲＯＭ）であってもよいし、又は能動的なプロセッサカード（即ちカードの内部で情報を処理できる）であってもよい。認識情報のようなデータが、挿入されたカードから読み取られ、そして電話のその後の動作に使用される。データカードは、例えば、「スマートカード」であって、従来のプラスチックのクレジットカードと同様のサイズで、情報が記憶される一般的に「チップ」と称される集積回路デバイスとして実施されるメモリを含んでいる。このため、このようなカードは、しばしば「チップカード」としても知られている。
【０００３】
スマートカードは、加入者認識モジュール（ＳＩＭ）を構成してもよい。又、加入者電話番号及びパーソナル識別番号（ＰＩＮ）のような加入者認識情報に加えて、スマートカードは、例えば、通話課金情報（即ち課金メータ）、電話番号帳、又は偽のＰＩＮエントリーを記憶することもできる。
ＳＩＭカードは、現在、２つのサイズで入手できる。ＳＩＭの機能は、各々について同じであり、本質的には物理的な寸法が異なる。一方はクレジットカードサイズのＳＩＭであり、他方は、約１５ｍｍｘ２０ｍｍのプラグインＳＩＭである。異なるサイズの背景にある理論的根拠は、クレジットカードサイズが実用的な観点からユーザに便利なサイズとして理解されていることである。しかしながら、クレジットカードサイズは比較的大きく、ターミナル（即ち無線電話ユニット自体）の全サイズを縮小化するための小型化が続くにつれて小さなカードサイズが必要とされる。プラグインＳＩＭは、セルラー電話に半永久的に設置されることを意図している。
【０００４】
【発明が解決しようとする課題】
添付図面の図１ａないし１ｄは、ＥＰ０６７９００２号に開示されたように、ＳＩＭカードを移動電話に固定する構成を示している。この構成体は、電話の機械的フレーム即ちケーシング１に一対のグルーブ６を設け、そこにＳＩＭカード８をその一端から先に長手方向に滑り込ませることができるようにすることにより、クレジットカードサイズのＳＩＭカード８を移動電話に取り付けることができる。ＳＩＭカード８に対向する移動電話の表面にはＳＩＭコネクタ４が設けられ、多数の一般的に柔軟なコネクタ突起５がＳＩＭカード８の各表面上の接点パッドと電気的に接触する。又、グループを使用して、対応するガイド１０を有する再充電可能なバッテリユニット９をしかるべき位置までスライドさせ、バッテリユニット９は、適切に設置されると、ＳＩＭカードを完全にカバーする。バッテリユニットには、しばしばスプリングも含まれ、これは、バッテリユニット９が配置される間に移動電話又はＳＩＭカード８の表面に力を及ぼして、バッテリユニット（及びＳＩＭカード）をぴったりと固定した状態に保持する。カードが間違ったエッジから先に挿入された場合には、ＳＩＭカードの接点パッドは、コネクタ４のコネクタ突起５に接触しない。
【０００５】
上記構成体に伴う１つの問題点は、それが全サイズのＳＩＭカードに使用するようにされていて、電話のサイズの縮小を受け入れないことである。又、カードを長手方向にしかるべき位置までスライドさせる前に一対のグルーブ６と整列させねばならないので、カードを容易に挿入することができない。更に、移動電話のバッテリユニット９を移動電話のフレーム１から取り外すときには、ＳＩＭカードがコネクタ突起５の上を滑る傾向となる。電話には容量性エネルギーが蓄積されるので、ＳＩＭカード８は、コネクタ突起５の上を滑るときにダメージを受け易くなる。
【０００６】
添付図面の図２は、プラグインＳＩＭカードを移動電話に固定するための既知の構成を示す。ＳＩＭカード２４に面する移動電話の片面には、コネクタ突起２６を有するＳＩＭコネクタ２７がある。又、この構成体は、ヒンジ固定のＳＩＭカードホルダ２２を備え、これは、ＳＩＭカードの接点をＳＩＭコネクタ２７のコネクタ突起２６に接触維持するためのロック２３を有している。ＳＩＭカード２４は、移動電話に次のように挿入される。先ず、ＳＩＭカードは、ホルダ２２においてヒンジ部分２８とロック２３との間に配置される。次いで、ホルダは、ＳＩＭコネクタへと枢着回転され、そしてＳＩＭカード２４に面した移動電話の表面の対応部分と接続するまでロック２３をスライドさせることによりロックされる。最後に、ＳＩＭカードの区画がカバー２５で閉じられる。
【０００７】
このような構成体より成る移動電話の製造プロセスは、ヒンジ付き機構の多数の部品により複雑化される。又、この構成体は、電話のケーシングに大きな区画を必要とする。更に、カード２４は、それをロックする必要のある位置まで長手方向にスライドする前にヒンジ付き部分２８とロック２３との間に整列しなければならないので、容易に挿入できない。更に、ＳＩＭカード及び区画は、カードを正しい向きでしか挿入できないように適応されねばならない。さもなくば、カードと移動電話との間の不適切な接触が生じて、カードにダメージを及ぼすことになる。
【０００８】
【課題を解決するための手段】
本発明によれば、カードを読み取り位置に配置すべきところの読み取り領域であって、カードを読み取り位置へと案内するためのグルーブを有する読み取り領域と、支持面を有するロード領域とを備え、このロード領域は、カードの主面に力を加えてカードを支持面に沿ってガイドグルーブへスライドできるよう構成され、そして読み取り領域は、カードの主面に力を加えてカードを読み取り位置へ更にスライドできるように構成されたデータカードハウジングが提供される。
【０００９】
本発明のデータカードハウジングは、クレジットカードサイズ又はプラグインＳＩＭカードに使用するサイズにすることができる。近代的な無線電話において実施できることから、プラグインＳＩＭカードのためのサイズにされるのが好都合である。又、ハウジングは、データカードを簡単に挿入及び除去することができる。例えば、ロード領域は、データカードをガイドグルーブに整列するように助成できる支持面を備えている。更に、ロード及び読み取り領域は、データカードの主面に力を加えて、読み取り位置への及びそこからのカードのスライド移動を助成できるように構成される。更に、本発明のデータカードハウジングは簡単であり、ひいては、製造が容易である。
【００１０】
ロード領域の支持面は、ガイドグルーブへと下方に傾斜するのが好ましい。これは、例えば、無線電話において実施されるときにハウジングにより貴重なＰＣＢスペースが塞がれるのを防止する。又、傾斜したロード領域は、データカードとガイドグルーブとの整列を助成する。更に、データカードが読み取り位置から偶発的に滑り出すのを防止する。
又、ハウジングは、カードの偶発的な除去を防止するのを更に助けるために、カードを読み取り位置に保持するための手段も備えている。このような保持手段は、ロード領域の支持面及び／又はガイドグルーブにおいて突起の形態をとることができる。
【００１１】
ハウジングは、更に、データカードコネクタを含むことができる。このデータカードコネクタは、好ましくは、データカード接点に接触してデータカード接点を回路に接続するためのコネクタ接点を備え、これらコネクタ接点は、データカードが第１の向きでコネクタに配置されたときには各データカード接点に接触するように配置され、そしてデータカードが第１の向きから１８０°回転した第２の向きでコネクタに配置されたときには１つのデータカード接点のみがそれらのいずれかにより接触される。このようなコネクタは、データカードが誤って挿入された場合にデータカードへのダメージのおそれを防止する。
【００１２】
コネクタ接点は、データカードが第２の向きにある状態で１つのコネクタ接点のみが上記データカード接点に接触するように配置される。この場合に、データカードが第１の向きにあるときは、上記コネクタ接点がデータカード接点のいずれか１つに接触する。しかしながら、それは、第１の向きにおいてコネクタ接点と接触する上記データカード接点に接触するのが好ましい。この上記コネクタ接点は、中央に配置される。或いは又、データカードがコネクタに配置されたときにはデータカードの主軸の１つのみに対して中央に配置されてもよい。
【００１３】
任意であるが、データカードコネクタは、更に、データカードが第２の向きにある状態で端子接点が更に別のデータカード接点に接触するよう配置された端子を含んでもよい。端子接点は、データカードがコネクタに配置されたときにデータカードの主軸の１つのみに対して中央に位置される。端子接点を設けることにより、同じコネクタ構成体に対して小さなコネクタ及びデータカードを使用することができる。
コネクタ接点及びデータカードの端子接点は対称的である。
データカードハウジングは、無線電話のハウジングの一部分を形成する。このような構造体は、製造が容易である。本発明のデータカードハウジングを備えた無線電話は、更に、取り外し可能なバッテリを含み、このバッテリは、これが取り付けられるときにデータカードハウジングをカバーする。
【００１４】
【発明の実施の形態】
以下、添付図面を参照して本発明の好ましい実施形態を詳細に説明する。
図３ないし６は、本発明の好ましい実施形態による移動電話のデータカードハウジングの概略図である。これらの図面は、移動電話において実施したときに本発明を説明するのに必要な移動電話の部分のみを示す。
移動電話のハウジング３８には、ＳＩＭカードハウジング３２が設けられる。ＳＩＭカードハウジング３２は、そのハウジング３２の側壁４２及び横断壁４３により横方向に画成されたスペースを有し、そしてカードが配置される支持面３１を有している。このスペースは、２つの領域、即ちロード領域３３及び読み取り領域３４を有する。
【００１５】
支持面３１は、読み取り領域においてＳＩＭカードコネクタのための開口を有する。コネクタは、複数の接点３５を有し、これらは、図６に示すように、ＳＩＭカード４０が読み取り位置にある状態でカード４０の対応する接点領域に接合する。支持面３１は、ロード領域において、カード４０のためのガイド傾斜部３９として働くように読み取り領域に向かって傾斜している。
【００１６】
側壁４２には、読み取り領域３４においてガイドグルーブ３６が設けられ、これらガイドグルーブ３６は、支持面３１により画成され、そしてそのサイズは、カード４０が図３及び４の矢印で示す移動電話及びカード４０の長手方向にしかるべき位置へと挿入されたときに、カード４０のエッジがガイドグループ３６に係合するようなサイズとされる。ガイドグルーブ３６は、カードを横方向に配置するように働き、そして長手方向以外の方向に本質的に完全に移動しないようにする。
【００１７】
ＳＩＭカードハウジング３２の横断壁４３は、カードがハウジングに挿入されたときに、カードが長手方向に読み取り位置をオーバーシュートするのを防止する。又、ＳＩＭカードハウジング３２には、ロード領域において支持面に突起３７も設けられており、これは、カードが読み取り位置から長手方向にロード領域に向かって後方に移動するのを防止する。
この実施形態におけるスペースは、図６に示すように、バッテリ４１によりカバーされる。バッテリ４１は、例えば、移動電話３８の対応するガイドグルーブに係合するガイドを構成する。或いは又、スペースは、例えば、ヒンジ付きの蓋によりカバーされてもよい。
【００１８】
ＳＩＭカードハウジング３２へのＳＩＭカード４０の挿入及び除去は、次のように行われる。ＳＩＭカード４０は、最初にこれをロード領域３３に入れ、長手方向に傾斜部３９を下るようにカード４０をスライドさせるか、又は傾斜部３９への開放面を通してそれを落とし込むことによりハウジング３２に挿入される。次いで、カードの上面に力を加え、支持面３１に沿って長手方向に読み取り領域３４に向かってそれをスライドさせる。ＳＩＭカード４０は、その横方向移動を防止するためにスライド動作によりガイドグループ３６へ挿入される。ガイドグルーブへ挿入するためのカードの整列は、ロード領域における側壁４２によって容易にされる。カードは、それが突起３７を完全に越えそしてカードの前方エッジが横断壁４３に接触するまでスライドされ続ける。カードがこの位置に到達すると、その接点領域がＳＩＭカードコネクタの接点３４と連通し、読み取り位置に入る。ＳＩＭカードは、ガイドグループ３６及び突起３７によってこの位置に保持される。最後に、この実施形態では、バッテリ４１のガイドを移動電話３８の対応するガイドグルーブに係合することによりバッテリ４１が移動電話３８に取り付けられる。
【００１９】
ＳＩＭカード４０は、この実施形態では、先ずバッテリ４１を移動電話３８から取り外すことによりハウジング３２から除去される。このとき、カード４０の上面に力を加えて、カードを支持面３１に沿って長手方向にロード領域３３に向けて突起３７上をスライドさせる。ＳＩＭカード４０は、ガイドグルーブ３６から解放されるまでスライドされ続ける。カードがこの位置に到達すると、ガイド傾斜部３９を上るようにカードをスライドさせるか、又は開放面を通してそれをはじき出すことにより、ＳＩＭカードハウジングからカードを除去することができる。
【００２０】
ＳＩＭカードは、それが間違った方向に挿入されて、ＳＩＭカードコネクタの接点３５とＳＩＭカードの接点パッドとの間に間違った接続がなされた場合に、ダメージを受けることがある。これに鑑み、ＳＩＭカードハウジング３２及び／又はＳＩＭカード４０には、ユーザがカード４０をハウジング３２へ正しい方向で入れ易くするために、適当な識別手段４４、４５が各々設けられる。ここに示す実施形態では、カード４０の１つの角４５に傾斜が付けられると共に、カードの正しい位置の輪郭が、図３及び４に示したように、ＳＩＭカードハウジングの支持面３１においてロード領域に刻印されてる。ユーザがＳＩＭカードを正しい方向に挿入するようにさせるこの試みと共に、本発明の好ましい実施形態では、以下に述べるように、ＳＩＭカードの誤った挿入により生じるＳＩＭカードへのダメージ対して保護が与えられる。
【００２１】
図７は、データカード７１及びデータカードコネクタ７２の接点の対応をデータカードの２つの向きに対して示す。この実施形態では、コネクタ７２は、６個の接点を有するＳＩＭカードの形態のデータカードを無線電話の電子回路に接続するように構成される。ＳＩＭカード及びコネクタ各々は、例えば、無線電話のバッテリからＳＩＭカードに印加されるべき電力のためのＧＮＤ及びＶＣＣ接点を有する。又、それらは、ＳＩＭカードと電話との間にデータを転送するための制御接点、Ｉ／Ｏ（データ）、ＣＬＫ及びＲＳＴも有する。更に、それらは、コネクタのＶＰＰ接点をＶＣＣに接続することによりＳＩＭカードにプログラミング電圧を印加するために従来使用されるＶＰＰ接点を有する。しかしながら、本発明のこの実施形態では、コネクタのＶＰＰ接点は、ＶＣＣ又は実際には電話の回路に接続されない。むしろ、それは、ＳＩＭカードのＶＰＰ接点のための単なる端子である。
【００２２】
第１の向き（図７ａ）においては、カード７１が正しい方向にある。この場合は、データカードの接点７３がコネクタ７２の各接点７４に対応し、そしてそれらに接触される。第２の向き（図７ｂ）においては、カードが第１の向きと同じ平面にあるが、カードの主軸７６、７７に垂直な中心軸７５の周りで回転されている。この場合には、コネクタ７２のＩ／Ｏ接点７４ａがＳＩＭカード７１のＶＰＰ接点７３ｂに接触し、そしてコネクタ７２のＶＰＰ接点７４ｂがＳＩＭカード７１のＩ／Ｏ接点７３ａに接触する。上記したように、コネクタ７２のＶＰＰ接点７４ｂは電話の回路に接続されない。従って、ＳＩＭカードは、コネクタ７２のＩ／Ｏ接点７４ａ及びＳＩＭカード７１のＶＰＰ接点７３ｂを経て電話回路に接続されるだけである。ＳＩＭカード接点７４の１つが回路に接続されるだけであるから、仕様インターフェイス違反は生じず、従って、ＳＩＭカード７１はダメージを受けることがない。これに対して、コネクタ７２の接点７４とＳＩＭカード７１の各接点７３が異なる電圧にある場合のように、ＳＩＭカード接点７４の２つ以上が回路に接続されたときには、インターフェイス違反が生じることになる。例えば、図７ｂの構成であるが、コネクタ７２のＶＰＰ接点７４ｂがＶＣＣ電源に接続される状態である。この場合には、ＳＩＭカード７１は、コネクタ７２のＩ／Ｏ接点７４ａ及びＳＩＭカード７１のＶＰＰ接点７３ｂと、コネクタ７２のＶＰＰ接点７４ｂ及びＳＩＭカード７１のＩ／Ｏ接点７３ａとを経て電話回路に接続されることになる。コネクタ７２のＶＰＰ接点７４ｂに印加されるＶＣＣは、ＳＩＭカード７１のＩ／Ｏ接点７３ａへ送られる。又、これは、コネクタ７２のＩ／Ｏ接点７４ａを強制的に接地させる。コネクタ７２のＩ／Ｏ接点７４ａは、次いで、接地電位をＳＩＭカード７１のＶＰＰ接点７３ｂに送る。従って、Ｉ／Ｏ接点７３ａ、７４ａは、異なる電位となり、そしてＳＩＭカード７１のＶＰＰ接点７３ｂは、それがＶＣＣでなければならないときに接地電位となる。その結果、本発明の上記実施形態とは対照的に、インターフェイス違反が生じ、ＳＩＭカード７１の不適切な電位がそれにダメージを及ぼす。
【００２３】
カードがこの第２の向きで読み取り位置に配置された場合には、カードは付勢されない。従って、電話がそれに「トーク」（例えば、データを要求）しても、電話への応答はない。好ましくは、ユーザは、例えば、電話ディスプレイに適当なメッセージが表示されることによりカードが誤って挿入されたことが通知される。
又、カードは、その主軸７６の周りで第１の向きから１８０°回転された第３の向きで読み取り位置に誤って配置されることもある。この場合には、いずれの接点も接触せず、電話がカードに「トーク」することができない。通常、このような場合には、電話は、カードが誤って挿入されたことをユーザに指示する。
【００２４】
図８は、種々の接点レイアウトを有するデータカードを示すもので、各データカードは、本発明の実施形態に基づきデータカードハウジングの読み取り位置に配置されて示されている。データカードは、正しい第１の向きと、カードの主軸８１、８２に垂直な中心軸の周りでその第１の向きから１８０°回転された第２の向きとで示されている。接点は、カード上にランダムに配置することもできるし、又は図８に示すように対称的であってもよい。又、接点は、図８ａ及び８ｂの３ｘ２アレー及び図８ｃの２ｘ３アレーのような従来のアレーとして現れてもよいし、或いは図８ｄのような他の対称的な形態を有するパターンとして現れてもよい。各々の場合に、データカードコネクタは、データカードが読み取り位置に正しい方向で配置されたときにデータカード接点に対応するように配置された各々の接点を有する。
【００２５】
カードが第２の向きにあるときには、コネクタ接点の１つ又は２つがデータカード接点に接触する。例えば、図８ａ及び８ｃでは、それらは、２つのデータカード接点８３、８４及び８６、８７に接触し、そして図８ｃ及び８ｄでは、１つのデータカード接点８５及び８８に接触する。コネクタ接点が２つのデータカード接点に接触するときには、コネクタ接点の１つのみがデータカード接点の１つを電話の電子回路に接続する。第２のコネクタ接点は、他のデータカード接点の端子接点である。その結果、電話からの電圧がデータカードにダメージを及ぼすおそれはない。
【００２６】
コネクタ接点が２つのデータカード接点と接触するように構成されるときは、同じデータカード接点構成に対して小さなコネクタ及びデータカードを使用することができる。これは、図８ａ及び８ｂから明らかである。図８ａでは、コネクタ接点が第２の向きにおいて２つのデータカード接点８３、８４に接触し、そして図８ｂでは、１つのデータカード接点８５のみと接触する。その結果、カードの巾、ひいては、コネクタの巾（即ち、主軸８１に沿った距離）は、前者の方が例えば、接点８３及び８４の中心間の距離だけ短くすることができる。或いは、同じサイズのＳＩＭカードの場合には、軸８１に沿って接点を更に離すことができ、従って、短絡が生じるおそれはほとんどない。
以上の説明から、本発明の範囲内で種々の変更がなされ得ることが当業者に容易に明らかであろう。例えば、データカードコネクタハウジングのロード領域３３は、ガイド傾斜部ではなくて平らな支持面３１を有してもよく、そしてデータカードコネクタは、２つ以上の端子接点を含んでもよい。
【図面の簡単な説明】
【図１ａ】クレジットカードサイズのＳＩＭカードを移動電話に固定するための公知構成体を示す図である。
【図１ｂ】クレジットカードサイズのＳＩＭカードを移動電話に固定するための公知構成体を示す図である。
【図１ｃ】クレジットカードサイズのＳＩＭカードを移動電話に固定するための公知構成体を示す図である。
【図１ｄ】クレジットカードサイズのＳＩＭカードを移動電話に固定するための公知構成体を示す図である。
【図２】プラグインＳＩＭカードを移動電話に固定するための公知の構成体を示す図である。
【図３】本発明の実施形態によるデータカードハウジングを含む移動電話の上面図である。
【図４】図３の移動電話の斜視図である。
【図５】データカードが読み取り位置にある状態の図３の移動電話の斜視図である。
【図６】データカードが読み取り位置にある状態の図３の移動電話の断面図である。
【図７ａ】カードがどの方向に挿入されるかに基づいてデータカードとカード読取装置との接続を示す図である。
【図７ｂ】カードがどの方向に挿入されるかに基づいてデータカードとカード読取装置との接続を示す図である。
【図８ａ】異なる接点レイアウトを有するデータカードを示す図であって、正しい第１の向きと、そこから１８０°回転された第２の向きとの両方において各データカードを読み取り位置に配置して示した図である。
【図８ｂ】異なる接点レイアウトを有するデータカードを示す図であって、正しい第１の向きと、そこから１８０°回転された第２の向きとの両方において各データカードを読み取り位置に配置して示した図である。
【図８ｃ】異なる接点レイアウトを有するデータカードを示す図であって、正しい第１の向きと、そこから１８０°回転された第２の向きとの両方において各データカードを読み取り位置に配置して示した図である。
【図８ｄ】異なる接点レイアウトを有するデータカードを示す図であって、正しい第１の向きと、そこから１８０°回転された第２の向きとの両方において各データカードを読み取り位置に配置して示した図である。
【符号の説明】
３１  支持面
３２  ＳＩＭカードハウジング
３３  ロード領域
３４  読み取り領域
３５  接点
３６  ガイドグルーブ
３７  突起
３８  移動電話ハウジング
３９  ガイド傾斜部
４０  ＳＩＭカード
４１  バッテリ
４２  側壁
４３  横断壁
４４、４５  識別手段
【図１ａ】
0003682757.tif 000002
【図１ｂ】
0003682757.tif 000003
【図１ｃ】
0003682757.tif 000004
【図１ｄ】
0003682757.tif 000005
【図２】
0003682757.tif 000006
【図３】
0003682757.tif 000007
【図４】
0003682757.tif 000008
【図５】
0003682757.tif 000009
【図６】
0003682757.tif 000010
【図７ａ】
0003682757.tif 000011
【図７ｂ】
0003682757.tif 000012
【図８ａ】
0003682757.tif 000013
【図８ｂ】
0003682757.tif 000014
【図８ｃ】
0003682757.tif 000015
【図８ｄ】
0003682757.tif 000016